(57)【特許請求の範囲】
【請求項１】
相手コネクタの相手中心コンタクトと接触する中心コンタクトと、
全体形状が略板状で横断面が劣弧形状を呈して前記相手コネクタの相手外部コンタクトと接触する接触部、この接触部に連続する板状の基部及びこの基部の上縁にＬ字形に連続形成され、前記基部を含む横断面形状が略コ字状の中空形成部を有する外部コンタクトと、
この外部コンタクトの前記接触部と線対称な部位である対称接触部及びこの対称接触部に連続して前記外部コンタクトの前記基部に対応し、横断面がＬ字形のＬ字状基部を有する検出コンタクトと、
前記中心コンタクト、前記外部コンタクト及び前記検出コンタクトを保持するハウジングと、を備え、
このハウジング内において、前記外部コンタクトの中空形成部と前記検出コンタクトの対称接触部及びＬ字状基部とにより前記中心コンタクトを囲繞し、且つ、対称接触部に隣接するＬ字状基部の外側に略コ字状の中空形成部の一側が重なるように、前記外部コンタクト及び検出コンタクトを配置したことを特徴とする同軸コネクタ。
【発明の詳細な説明】
【０００１】
【発明の属する技術分野】
本発明は同軸コネクタに関する。
【０００２】
【従来の技術】
伝送線路の一種である同軸ケーブルと各種装置回路とを電気的に接続する同軸コネクタは、例えば携帯電話に組み込まれるＩ／Ｏ（Input/Output）コネクタの構成部品として使用される。同軸コネクタは、嵌合関係にある図示しない相手同軸コネクタと接続される。
【０００３】
図８は、同軸コネクタの一例を斜め下方から見た図であり、このような同軸コネクタを符号１００で示す。
【０００４】
同軸コネクタ１００は、周知のごとくインシュレータに保持される３つの主要なコンタクトとして、信号の伝達を行う中心コンタクトと、接続した装置回路を接地させる外部コンタクトと、相手同軸コネクタに対して同軸コネクタが嵌合・離脱したことを検出する検出コンタクトを有する。
【０００５】
図９は、上記コンタクトのうちの一つである外部コンタクトを符号１０１を用いて例示する。
【０００６】
外部コンタクト１０１は、一枚の導電板を打ち抜いて、曲げ加工して形成され、基部１０１ａと、基部１０１ａの一端側に位置する筒状部１０１ｂと、基部１０１ａを筒状部１０１ｂとの間に挟んで筒上部１０１ｂの反対側に位置する端子部１０１ｃの３つの部位からなる。すなわち、基部１０１ａ及び筒状部１０１ｂは、図９において同一軸線Ｘ−Ｘ上にあり、手前側に筒状部１０１ｂが、向こう側に基部１０１ａが位置し、基部１０１ａの向こう側端下部に段状に形成されているのが端子部１０１ｃである。なお手前及び向こうをそれぞれ前及び後という場合がある。
【０００７】
基部１０１ａは、横断面が略コ字状で且つ全体が立方体を呈するごとき形状をした中空部位であり、基部１０１ａにより外部コンタクト１０１が前記インシュレータに堅持されるようになっている。
【０００８】
筒状部１０１ｂは横断面がほぼ円弧に近い優弧形状をした部位であり、この筒状部１０１ｂに相当する、前記相手同軸コネクタの図示しない相手接触部に接触する。
【０００９】
ところで、図９から明らかなように、外部コンタクト１０１は、曲げ加工箇所が多く、特に筒状部１０１ｂは横断面が優弧形状であるので加工が面倒である。よって、外部コンタクト１０１延いては同軸コネクタ１００の生産性を向上させ難いという問題があった。
【００１０】
そこで、同軸コネクタの生産性を向上する技術として、例えば特許第３０３５７８０号公報では、簡単な曲げ加工を施すことで製作したコンタクトからなる同軸コネクタが提案されている。
【００１１】
図１０は、そのような同軸コネクタの一例であり、符号３００で示す。
【００１２】
同軸コネクタ３００は、同軸コネクタの構成部品である、外部コンタクト，中心コンタクト及び検出コンタクトにそれぞれ相当する、外部コンタクト３０１，中心コンタクト３０２及び検出コンタクト３０３を有する。
【００１３】
このうち外部コンタクト３０１は、一枚の導電板を打ち抜いて部分的に簡単な曲げ加工が施された、全体形状がほぼ板状の部品である。この外部コンタクト３０１は、前記外部コンタクト１０１の基部１０１ａ，筒状部１０１ｂ及び端子部１０１ｃにそれぞれ相当する基部３０１ａ，接触部３０１ｂ及び端子部３０１ｃからなる。そして、基部３０１ａは略矩形をした板状体であり、接触部３０１ｂは横断面が劣弧形状になるよう僅かに湾曲された板状体である。また、端子部３０１ｃは、図１０における基部３０１ａの下縁後部から下方に延びるＬ字形の脚状をしている。
【００１４】
また、中心コンタクト３０２は、接触部が二股形状をした板状体である。
【００１５】
そして前記検出コンタクト３０３は外部コンタクト３０１と左右対称形状に形成されている。
【００１６】
このように同軸コネクタ３００は、その構成部品の外部コンタクト３０１と検出コンタクト３０３に僅かに湾曲された基部を有するけれどもその横断面は劣弧状であるから両者は略板状をしている部品といえる。よって、既述した曲げ加工が面倒な同軸コネクタ１００と比較して同軸コネクタはその生産性の向上を図れる。
【００１７】
【発明が解決しようとする課題】
ところで、同軸コネクタにおいては、インピーダンスの整合性を図ることが重要である。そのためには、外部コンタクト及び検出コンタクトが中心コンタクト３０２をできる限り囲繞していることが望ましい。
【００１８】
しかし、同軸コネクタ３００は、同軸コネクタ１００と比較して、生産性には優れているものの、その構成部品である外部コンタクト３０１及び検出コンタクト３０３はそれらの接触部が横断面で劣弧形状であるため、横断面が円弧に近い優弧形状の筒状部１０１ｂを備える外部コンタクト１０１と比較した場合、中心コンタクトを囲繞する割合が低い。よって、インピーダンスの整合性を十分に図るという観点から鑑みれば、改良の余地がある。
【００１９】
本発明はこのような実情に鑑みて為されたものであり、従来品と比較して生産性の向上を図ることができ且つインピーダンスの十分な整合性を図ることができる技術を提供することを課題とする。
【００２０】
【課題を解決するための手段】
前記した課題を解決するために、本発明は以下の手段とした。
【００２１】
即ち、本発明同軸コネクタは、中心コンタクトを囲繞する部位を増大してインピーダンスの十分な整合性を図るとともに生産効率を高めるために加工が簡単な部品を使用するようにした。すなわち、相手コネクタの相手中心コンタクトと接触する中心コンタクトと、
全体形状が略板状で横断面が劣弧形状を呈して前記相手コネクタの相手外部コンタクトと接触する接触部、この接触部に連続する板状の基部及びこの基部の上縁にＬ字形に連続形成され、前記基部を含む横断面形状が略コ字状の中空形成部を有する外部コンタクトと、
この外部コンタクトの前記接触部と線対称な部位である対称接触部及びこの対称接触部に連続して前記外部コンタクトの前記基部に対応し、横断面がＬ字形のＬ字状基部を有する検出コンタクトと、
前記中心コンタクト、前記外部コンタクト及び前記検出コンタクトを保持するハウジングと、を備え、
このハウジング内において、前記外部コンタクトの中空形成部と前記検出コンタクトの対称接触部及びＬ字状基部とにより前記中心コンタクトを囲繞し、且つ、対称接触部に隣接するＬ字状基部の外側に略コ字状の中空形成部の一側が重なるように、前記外部コンタクト及び検出コンタクトを配置したことを特徴とする。
【００２２】
本発明は検出コンタクトに横断面Ｌ字状基部を付加しても、平板をＬ字形に曲折することは平板を二つ折りにするだけの簡単な加工であるので、この加工に起因した検出コンタクトの生産性に弊害を生ずることはない。
【００２３】
また、中心コンタクトをＬ字状基部のある検出コンタクトで囲繞する分インピーダンスを好適にできる。
【００２４】
【発明の実施の形態】
以下、本発明である、同軸コネクタの実施の形態を添付した図面を参照して説明する。
【００２５】
図１は本実施形態に係る同軸コネクタ１の全体斜視図であり、図２は図１の分解斜視図である。また、図３は図１の背面図であり、図４はＸ−Ｘ軸に垂直な仮想平面Ｓで同軸コネクタ１を切断し矢印方向に見た断面図である。
図２に示すように、同軸コネクタ１は、Ｘ−Ｘ軸上に位置する中心コンタクト２と、中心コンタクト２の両側に位置する外部コンタクト３及び検出コンタクト５と、これらのコンタクトを一体に保持するハウジング７とを含む。
【００２６】
ハウジング７は、断面でほぼ四角形状（長四角形状）をした絶縁体からなり、その前面（図１におけるＸ−Ｘ軸の手前側の面）１４には、筒状の突出部９と、いわゆる周知の板状コネクタ部とが形成されている。
【００２７】
突出部９の中央には中心コンタクト２が収容され、突出部９の外周面両側は、外部コンタクト３と検出コンタクト５とで覆われる。そのため、図３及び図４に示すように、ハウジング７には、これらのコンタクト挿通用の孔を有する。図３及び図４からわかるように、中心コンタクト２を通す孔（中心コンタクト通し孔）を符号１１で示し、外部コンタクト３が挿通される孔（外部コンタクト通し孔）及び検出コンタクト５が挿通される孔（検出コンタクト通し孔）をそれぞれ符号１３及び１５で示す。
【００２８】
これらの孔１１，１３及び１５は、中心コンタクト２，外部コンタクト３及び検出コンタクト５の形状に適合されている。
【００２９】
また各コンタクト２，３及び５はプレスによって導電板を打ち抜きかつ曲げ加工したものである。
【００３０】
中心コンタクト２は、同軸コネクタ１と嵌合関係にある図７に示すような相手コネクタ１７の相手中心コンタクトである信号ピン１９と接触する。
【００３１】
また、中心コンタクト２は、ハウジング７の前記中心コンタクト通し孔１１に収容された場合に中心コンタクト２を保持する平板状の保持部１８と、中心コンタクト通し孔１１の先端近傍にまで延在し前記信号ピン１９を挟持する二股状のビーム部２０と、保持部１８のうちビーム部２０のある側と反対側に延びるソルダーテイル部２１とを有する。
【００３２】
ビーム部２０は平行な平板であり、互いに対向する一対のバネ片として機能する。ビーム部２０の先端部は接点部２４，２４が背中合わせに湾曲形成されることにより弾性が高められ、ビーム部２０と前記信号ピン１９との接合の安定化を図っている。
【００３３】
外部コンタクト３は、図２に示すように、矩形板状の基部２８と、基部２８の前縁に連続形成され横断面が劣弧形状を呈し、図７に示すような、相手コネクタ１７の相手外部コンタクト２５の構成部位である相手接触部２７に接触する接触部２９と、基部２８の上縁にＬ字形に連続形成され、基部２８と合わせ見た場合の横断面形状が略コ字状で且つ全体が中空の立方体を呈するごとき中空形成部３０と、中空形成部３０及び基部２８の各後縁にそれぞれ連続形成された半田付け部（以下、「ソルダーテイル部」と呼ぶ）３２，３３とを有する。
【００３４】
図２及び図５に示すように、検出コンタクト５は、外部コンタクト３から中空形成部３０を除去したごとき形態をしている。相違点は外部コンタクト３の接触部２９とＸ−Ｘ軸を基軸として線対称な部位である対称接触部３９及びこの対称接触部３９に連続して形成され前記外部コンタクト３の基部２８に相当するが横断面がＬ字状のＬ字状基部３８と、Ｌ字状基部３８の後縁に連続形成され後方に延びる半田付け部（以下、「ソルダーテイル部」と呼ぶ）４０とを有している。また対称接触部３９も、外部コンタクト３の接触部２９と同様、相手コネクタ１７の相手外部コンタクト２５の構成部位である相手接触部２７に接触する。
【００３５】
そして、中心コンタクト２と、外部コンタクト３と、検出コンタクト５の各ソルダーテイル部２１，３２，３３，４０は、図３におけるハウジング７の下面よりも下方にわずかに突出している。
【００３６】
しかして、このような形態をした中心コンタクト２，外部コンタクト３及び検出コンタクト５がそれぞれ挿通される中心コンタクト通し孔１１，外部コンタクト通し孔１３及び検出コンタクト通し孔１５は、図３及び図４からわかるように、中央に上下に延びる長四角状の中心コンタクト通し孔１１が位置する。そして、中心コンタクト通し孔１１の周囲に外部コンタクト通し孔１３及び検出コンタクト通し孔１５が中心コンタクト通し孔１１を囲繞するように形成されている。
【００３７】
詳しくは、図３及び図４からわかるように、同軸コネクタ１を後側から見た場合において、外部コンタクト３の通し孔１３は、中心コンタクト通し孔１１の右側に形成されかつ外部コンタクト３の接触部２９が当接するアーチ型の右側空間部１３ａと、この右側空間部１３ａを起点にそこから反時計回りに中心コンタクト通し孔１１の左側に至るまで回り込み、中心コンタクト通し孔１１の左方、右方および上方の三方を囲繞する三方囲繞部１３ｂとを有する。
【００３８】
検出コンタクト通し孔１５にあっても図３及び図４からわかるように、同軸コネクタ１を後側から見た場合において、中心コンタクト通し孔１１の左側に形成されかつ検出コンタクト５の対称接触部３９が当接する左側空間部１５ａと、左側空間部１５ａを起点に、そこから反時計回りに中心コンタクト通し孔１１の下側に至るまで回り込み、中心コンタクト通し孔１１の下方を囲繞する下方囲繞部１５ｂとを有する。
【００３９】
図６はこのような同軸コネクタをシェル４２でカバーした状態を示す。同軸コネクタ１は、当該シェル４２でカバーされた状態で図７に示す相手コネクタ１７と嵌合・離脱する。そして同軸コネクタ１と相手コネクタ１７とを嵌合する時には、外部コンタクト３及び検出コンタクト５で両側を被覆された突出部９が相手コネクタ１７の収容孔１１に挿通される。
【００４０】
その結果、相手コネクタ１７の信号ピン１９に中心コンタクト２がその二股状ビーム部２０で挟持した状態で接触し、相手外部コンタクト２５の相手接触部２７に外部コンタクト３の接触部２９及び検出コンタクト５の対称接触部３９が接触する。
【００４１】
そして、同軸コネクタ１と相手コネクタ１７とが嵌合されると、Ｘ−Ｘ軸上に中心コンタクト２と信号ピン１９とは位置し、中心コンタクト２は信号ピン１９に対して信号を伝達し、外部コンタクト３は相手外部コンタクト２５に対して接地及びシールドし、検出コンタクト５は相手コネクタ１７に対して接地及びシールドしつつ、両コネクタ１，１７の嵌合状態を検出する。なお、図７に符号４３で示すものは、板状コネクタ部８が嵌合される相手嵌合孔である。
【００４２】
次にこのような構成の同軸コネクタ１の作用効果を述べる。
【００４３】
同軸コネクタ１は、相手コネクタ１７の相手中心コンタクト１９と接触する中心コンタクト２と、全体形状が略板状で横断面が劣弧形状を呈し、相手外部コンタクト２５の構成部位である相手接触部２７と接触する接触部２９及びこの接触部２９に連続する板状の基部２８を有する外部コンタクト３と、この外部コンタクト３の接触部２９と線対称な部位である対称接触部３９及びこの対称接触部３９に連続して形成され外部コンタクト３の基部２８に相当し横断面がＬ字状をしたＬ字状基部３８を有する検出コンタクト５と、中心コンタクト２，外部コンタクト３及び検出コンタクト５が保持されるハウジング７とを備えている。そして、このハウジング７内において、外部コンタクト３の接触部２９及び基部２８と、検出コンタクト５の対称接触部３９及びＬ字状基部３８とで中心コンタクト２を囲繞するようにした。
【００４４】
したがって、検出コンタクト５に横断面でＬ字状基部３８を付加しても、平板な導電板をＬ字形に曲折すること自体は極めて簡単な加工であるので、この加工に起因した検出コンタクト５の生産性に弊害を生ずることはない。
【００４５】
また、中心コンタクト２をＬ字状基部３８を有する検出コンタクト５で囲繞する分インピーダンスを好適にできる。
【００４６】
尚、本発明の同軸コネクタは、上述の図示例にのみ限定されるものではなく、本発明の要旨を逸脱しない範囲内において種々変更を加え得ることは勿論である。
【００４７】
【発明の効果】
以上、説明したように本発明の同軸コネクタによれば、生産性の向上を図ることができ且つインピーダンスの十分な整合性を図ることができるという優れた効果を奏し得る。
【図面の簡単な説明】
【図１】本発明同軸コネクタの外観図である。
【図２】本発明同軸コネクタの分解斜視図である。
【図３】図１の背面図である。
【図４】図１の要部縦断面図である。
【図５】検出コンタクトの斜視図である。
【図６】本発明同軸コネクタにシェルを装着した状態を示す図である。
【図７】相手同軸コネクタの斜視図である。
【図８】従来の同軸コネクタを説明するための斜視図である。
【図９】図８の同軸コネクタの要部斜視図である。
【図１０】従来の別の同軸コネクタを説明するための斜視図である。
【符号の説明】
１ 同軸コネクタ
２ 中心コンタクト
３ 外部コンタクト
５ 検出コンタクト
７ ハウジング
８ 板状コネクタ部
９ 突出部
１１ 収容孔
１３ 外部コンタクト通し孔
１３ａ 右側空間部
１３ｂ 三方囲繞部
１４ 前面
１５ 検出コンタクト通し孔
１５ａ 左側空間部
１５ｂ 下方囲繞部
１７ 相手コネクタ
１８ 保持部
１９ 信号ピン（相手中心コンタクト）
２０ ソケット
２１ ソルダーテイル部
２４ 接点部
２５ 相手外部コンタクト
２７ 相手接触部
２８ 基部
２９ 接触部
３０ 中空形成部
３２ ソルダーテイル部
３３ ソルダーテイル部
３８ Ｌ字状基部
３９ 対称接触部
４０ ソルダーテイル部
４２ シェル
１００ 同軸コネクタ
１０１ 外部コンタクト
１０１ａ 基部
１０１ｂ 筒状部
１０１ｃ 端子部
３００ 同軸コネクタ
３０１ 外部コンタクト
３０１ａ 基部
３０１ｂ 接触部
３０１ｃ 端子部
３０２ 中心コンタクト
３０３ 検出コンタクト
Ｓ 仮想平面
【図１】
0004061118.tif 000002
【図２】
0004061118.tif 000003
【図３】
0004061118.tif 000004
【図４】
0004061118.tif 000005
【図５】
0004061118.tif 000006
【図６】
0004061118.tif 000007
【図７】
0004061118.tif 000008
【図８】
0004061118.tif 000009
【図９】
0004061118.tif 000010
【図１０】
0004061118.tif 000011